(57)【要約】【課題】  延長管の先端部分をコンパクトかつ少ない部品点数で形成でき、また、操作者等の汚れを防止できる電気掃除機を提供すること。【解決手段】  延長管５の先端部分に、先端にブラシ３１が設けられた補助吸込口体６を、軸方向に摺動自在かつ分離不可に外嵌する。電気掃除機本体１に設けた延長管連結部２０内に、補助吸込口体６および延長管５を挿入するとき、補助吸込口体６の側面の押しボタン３７が補助吸込口体収容部２１の内側面に当接して、補助吸込口体６の延長管５に対するロックが解除される。また、補助吸込口体６の側面に設けた起毛布４２と、補助吸込口体収容部２１の内側面の接触部２４との摩擦により、補助吸込口体６が延長管５よりも引き込まれる。延長管５の先端近傍に設けられた係合孔５１に、延長管嵌合部２２の外筒部２４から内側に突出する本体側係合体２７が係合して、延長管５が延長管連結部２０に固定される。【選択図】図１
2006158741.tif 000002
【特許請求の範囲】
【請求項１】
内側に通風路を有して電気掃除機本体に接続される延長管と、
先端にブラシを有し、上記延長管に、この延長管の軸方向に摺動自在に外嵌されていると共に、上記延長管から分離不可である補助吸込口体と、
上記補助吸込口体を、上記延長管から突出した位置にロックするロック機構と、
上記補助吸込口体を収容すると共に上記延長管が挿入されて連結されるように形成され、かつ、上記延長管が挿入されるときに上記補助吸込口体が上記延長管に対して後退するように形成されていると共に、上記延長管が引き出されるときに上記補助吸込口体が上記延長管から先端側に突出するように形成された延長管連結部と
を備えることを特徴とする電気掃除機。
【請求項２】
請求項１に記載の電気掃除機において、
上記ロック機構は、上記補助吸込口体の外側に露出する解除部を有し、
上記延長管が上記延長管連結部に挿入されるときに、上記解除部を介して上記補助吸込口体のロックが解除されることを特徴とする電気掃除機。
【請求項３】
請求項１に記載の電気掃除機において、
上記補助吸込口体と上記延長管連結部とを連結する補助吸込口体連結部を有することを特徴とする電気掃除機。
【請求項４】
請求項３に記載の電気掃除機において、
上記補助吸込口体連結部は、上記補助吸込口体の外周部に設けられた起毛布を含むことを特徴とする電気掃除機。
【請求項５】
請求項３に記載の電気掃除機において、
上記補助吸込口体連結部は、上記ロック機構の解除部に設けられたローレットを含むことを特徴とする電気掃除機。
【請求項６】
請求項１に記載の電気掃除機において、
上記補助吸込口体のブラシは、先端に向かうにつれて、上記延長管の通風路の中心軸側に近づくように傾斜していることを特徴とする電気掃除機。
【発明の詳細な説明】
【技術分野】
【０００１】
本発明は、電気掃除機に関し、詳しくは、先端部分に補助吸込口体が設けられた延長管を備える電気掃除機に関する。
【背景技術】
【０００２】
従来、この種の電気掃除機としては、延長管の先端部分に筒状のカバーを固定し、このカバーと上記延長管との間に、上記延長管の長手方向に進退可能に形成されたブラシ部材を収容したものがある（特開平８−１９１７８２号公報：特許文献１参照）。
【０００３】
上記カバーと延長管との間にはバネが設けられており、上記ブラシ部材を、上記バネで付勢して、上記延長管の先端から突出させている。また、上記ブラシ部材に突起を設け、この突起を、上記延長管に設けた貫通孔を介して延長管の内側に突出させている。また、上記延長管に接続されるパイプに係止するクランプを備え、このクランプを、上記延長管に設けた貫通孔を介して延長管の内側に突出させている。上記クランプを、上記カバーの表面に露出させた押しボタンによって操作するようにしている。
【０００４】
上記延長管は、先端に吸込口体を取り付けて床掃除を行うと共に、上記吸込口体を取り外して上記ブラシ部材を先端に突出させて、家具と壁との隙間等の掃除を行うことができるようになっている。
【０００５】
この延長管の先端に吸込口体が取り付けられる場合、この吸込口体のパイプが延長管の内側に挿入されるにつれて、上記突起がパイプの端面によって奥側に押し遣られる。これにより、上記延長管の先端から突出していたブラシ部材が、カバー内に没入する。上記パイプが延長管内の所定位置まで挿入されると、このパイプに設けられた係止孔に上記クランプが係止して、この吸込口体と延長管とが連結される。
【０００６】
一方、上記吸込口体が延長管から取り外される場合、上記押しボタンが押圧されて上記クランプのパイプに対する係合が解けることにより、上記バネの付勢力で上記パイプが延長管から押し出されると共に、上記ブラシ部材が延長管の先端から突出する。
【０００７】
しかしながら、上記従来の電気掃除機は、上記延長管とカバーとの間にブラシ及びバネを収容しているので、上記カバーの寸法が比較的大きくなり、また、部品点数が多くて構造が複雑になるという問題がある。
【０００８】
さらに、上記延長管の内側に上記吸込口体のパイプが挿入されるので、この吸込口体が延長管に取り付けられたとき、延長管のカバーが露出する。このカバーは、ブラシ部材を突出させて掃除を行う際の塵の吸入口に近接するので、汚れ易い。したがって、上記延長管に吸入口体を接続する際や、この吸入口体が接続された状態で掃除を行う際に、操作者等を汚す虞があるという問題がある。
【特許文献１】特開平８−１９１７８２号公報
【発明の開示】
【発明が解決しようとする課題】
【０００９】
そこで、本発明の課題は、延長管の先端部分をコンパクトかつ少ない部品点数で形成でき、また、操作者等の汚れを防止できる電気掃除機を提供することにある。
【課題を解決するための手段】
【００１０】
上記課題を解決するため、本発明の電気掃除機は、
内側に通風路を有して電気掃除機本体に接続される延長管と、
先端にブラシを有し、上記延長管に、この延長管の軸方向に摺動自在に外嵌されていると共に、上記延長管から分離不可である補助吸込口体と、
上記補助吸込口体を、上記延長管から突出した位置にロックするロック機構と、
上記補助吸込口体を収容すると共に上記延長管が挿入されて連結されるように形成され、かつ、上記延長管が挿入されるときに上記補助吸込口体を上記延長管に対して後退するように形成されていると共に、上記延長管が引き出されるときに上記補助吸込口体が上記延長管から先端側に突出するように形成された延長管連結部と
を備えることを特徴としている。
【００１１】
上記構成によれば、上記補助吸込口体が、上記延長管から突出した位置にロック機構でロックされた状態で、この補助吸込口体の先端のブラシを被掃除面に臨ませる。上記延長管に接続された電気掃除機本体の吸引動作により、上記延長管の通風路に吸込空気が流れて、上記補助吸込口体から被掃除面の塵が吸引される。
【００１２】
上記延長管を、例えば電気掃除機本体や吸込口体等に接続する場合、この電気掃除機本体や吸込口体等に設けられた上記延長管連結部に、上記補助吸込口体が収容されると共に上記延長管が挿入されて連結される。上記延長管連結部は、上記延長管が挿入されるときに、上記補助吸込口体を上記延長管に対して後退させる。
【００１３】
一方、上記電気掃除機本体や吸込口体等に接続された上記延長管を取り外す場合、上記延長管連結部から、上記補助吸込口体及び延長管を引き出す。上記延長管連結体から延長管が引き出されるときに、上記補助吸込口体によって、上記補助吸込口体が延長管から先端側に突出させられる。
【００１４】
このように、先端にブラシが設けられた上記補助吸込口体は、上記延長管連結部から引き出されると、上記延長管から突出した状態になるので、従来のようなブラシを延長管の先端から突出させるためのバネは不要である。したがって、この電気掃除機は、少ない部品点数で延長管及び補助吸込口体を構成することができる。
【００１５】
また、上記延長管を電気掃除機本体等に着脱する際に、操作者は上記補助吸込口体に触れることが無い。その結果、上記補助吸込口体に付着した塵などで操作者の手が汚れる虞を効果的に防止できる。
【００１６】
また、上記補助吸込口体は、上記延長管連結部に収容されるので、従来のように塵が付着した状態の補助吸込口体が露出することが無い。したがって、塵が付着した補助吸込口体によって操作者等が汚れる不都合を、効果的に防止できる。
【００１７】
一実施形態の電気掃除機は、上記ロック機構は、上記補助吸込口体の外側に露出する解除部を有し、
上記延長管が上記延長管連結部に挿入されるときに、上記解除部を介して上記補助吸込口体のロックが解除される。
【００１８】
上記実施形態によれば、上記延長管を延長管連結部に挿入する動作によって、上記補助吸込口体のロックを解除できる。したがって、上記延長管を、上記延長管連結部にワンタッチで接続することができる。
【００１９】
一実施形態の電気掃除機は、上記補助吸込口体と上記延長管連結部とを連結する補助吸込口体連結部を有する。
【００２０】
上記実施形態によれば、上記延長管を延長管連結部に挿入する際、上記補助吸込口体が、上記補助吸込口体連結部によって延長管連結部に連結される。これにより、上記延長管の挿入動作によって、この延長管に対して補助吸込口体が相対的に後退移動して、この補助吸込口体が延長管に対して後退する。
【００２１】
一方、上記延長管を延長管連結部から引き出す際、上記補助吸込口体が、上記補助吸込口体連結部によって延長管連結部に連結される。これにより、上記延長管の引き出し動作によって、この延長管に対して補助吸込口体が相対的に移動して、この補助吸込口体が延長管よりも先端側に突出する。
【００２２】
このように、上記補助吸込口体は、操作者によって直接操作されることなく、延長管に対する引き込み及び突出が行われるので、操作者の手を汚す不都合を防止できる。また、補助吸込口体の引き出し及び突出を容易に行うことができる。
【００２３】
なお、上記補助吸込口体連結部は、上記補助吸込口体を延長管に対して相対的に移動させることができるのであれば、いかなる形態で補助吸込口体を連結してもよい。
【００２４】
一実施形態の電気掃除機は、上記補助吸込口体連結部は、上記補助吸込口体の外周部に設けられた起毛布を含む。
【００２５】
上記実施形態によれば、上記延長管が延長管連結部に挿入及び引き出されるとき、上記補助吸込口体が、上記起毛布によって効果的に延長管連結部に連結される。したがって、簡易な構成で、上記補助吸込口体を、上記延長管に対して後退又は前進させることができる。
【００２６】
一実施形態の電気掃除機は、上記補助吸込口体連結部は、上記ロック機構の解除部に設けられたローレットを含む。
【００２７】
上記実施形態によれば、上記延長管が延長管連結部に挿入及び引き出されるとき、上記補助吸込口体が、上記ロック機構の解除部に設けられたローレットによって、効果的に延長管連結部に連結される。したがって、簡易な構成で、上記補助吸込口体を、上記延長管よりも引き込み又は突出させることができる。さらに、上記ロック機構の解除部を、ロックの解除と、補助吸込口体の延長管連結部への連結とに兼用することができるので、電気掃除機の部品点数を削減できると共に、上記補助吸込口体を簡易な構成にしてコンパクトにできる。
【００２８】
一実施形態の電気掃除機は、上記補助吸込口体のブラシは、先端に向かうにつれて、上記延長管の通風路の中心軸側に近づくように傾斜している。
【００２９】
上記実施形態によれば、上記補助吸込口体のブラシは、先端に向かうにつれて、上記延長管の通風路の中心軸側に近づくように傾斜しているので、この補助吸込口体を延長管連結部に収容するときに、この延長管連結部の縁にブラシが当たって邪魔になることを防止できる。また、上記ブラシは、先端が上記延長管側に向かって傾斜しているものの、このブラシが設けられた補助吸込口体は、上記延長管連結部に収容される際、上記延長管に対して引き込まれるので、上記ブラシが延長管と延長管連結部との連結部に巻き込まれることも無い。
【００３０】
なお、上記ブラシの傾斜角度は、上記延長管の中心軸に対して０°よりも大きく１５°以下であるのが好ましく、さらに、上記補助吸込口体の延長管連結部への挿入のし易さと、上記補助吸込口体の延長管に対する引き込み易さとの点で、
５°以上７°以下であるのが特に好ましい。
【発明の効果】
【００３１】
以上のように、本発明の電気掃除機は、補助吸込口体を収容すると共に延長管が挿入されて連結されるように形成され、かつ、上記延長管が挿入されるときに上記補助吸込口体を上記延長管よりも引き込むように形成されていると共に、上記延長管が引き出されるときに上記補助吸込口体を上記延長管から突出させるように形成された延長管連結部を備えるので、先端にブラシが設けられた補助吸込口体は、上記延長管連結部から引き出されると、上記延長管から突出した状態になるから、従来のようなブラシを突出させるバネが不要になって、少ない部品点数で延長管及び補助吸込口体を構成することができる。
【発明を実施するための最良の形態】
【００３２】
以下、本発明を図示の実施の形態により詳細に説明する。
【００３３】
図１は、本発明の実施形態としての電気掃除機の一部を示す断面図である。
【００３４】
この電気掃除機は、電気掃除機本体１と、この電気掃除本体に接続されたホース２と、このホースに連なると共に把手３１を有する手元パイプ３と、この手元パイプ３に接続されて内側に通風路が形成された延長管５とを備える。この延長管５の先端部分と、この延長管５の先端部分に設けられた補助吸込口体６とが、上記電気掃除機本体１の上部に設けられた延長管連結部２０に連結されている。この延長管連結部２０は、電気掃除機本体１内に形成された本体通風路５０の一端に設けられており、この本体通風路５０の他端は、電気掃除機本体１の底面に形成された開口９に連通している。この電気掃除本体１は、吸い込み空気の流れを生成する電動送風機８と、電源コードを巻き取るコードリール７を内蔵している。また、上記電気掃除機本体１には、吸い込み空気から塵を分離して回収するサイクロン集塵器１０が着脱可能に連結されている。この電気掃除機は、走行車輪を有する図示しない吸込口体が上記開口９に接続され、上記手元パイプ３の把手３１が操作者によって把持されて掃除動作を行うアップライト型の掃除機である。
【００３５】
上記サイクロン集塵器１０は、筒状の集塵ケースと１１と、この集塵ケース１１の開口端に連結されたサイクロン本体１４とを有する。このサイクロン本体１４は、上記集塵ケース中に突出する排気筒１６と、この排気筒１６から吸引した空気を濾過するフィルター体１８とを有する。上記集塵ケース１１の電気掃除機本体側の側面には、吸い込み空気を導く開口１２が設けられている。
【００３６】
図２は、上記延長管５及び補助吸込口体６と、上記電気掃除機本体１の延長管連結部２０との連結部を拡大して示した断面図である。この延長管連結部２０は、概略筒形状を有すると共に上端に開口を有し、この延長管連結部２０内に、延長管５の先端部分が挿入されていると共に補助吸込口体６が収容されている。
【００３７】
図３は、上記延長管連結部２０から、上記延長管５及び補助吸込口体６が引き出された様子を示す断面図である。
【００３８】
図２及び３に示すように、上記延長管連結部２０は、開口に連なる補助吸込口体収容部２１と、この補助吸込口体収容部２１よりも底側に形成された延長管嵌合部２２とを有する。
【００３９】
上記補助吸込口体収容部２１は、補助吸込口体６の外形に対応した内面形状を有し、上記補助吸込口体６を収容合可能になっている。この補助吸込口体収容部２１には、上記補助吸込口体６の後述する起毛布４２が接触する接触部２４が設けられている。この接触部２４は、不織布によって形成されているが、上記補助吸込口体６の連結部が接触して摩擦力が得られるのであれば、どのような材料で形成してもよい。
【００４０】
上記延長管嵌合部２２は、上記延長管５の先端の外周面に接する外筒部２４と、この外筒部２４の内側に形成されて上記延長管の内周面に接する内筒部２５とを有する。上記外筒部２４の内径は、上記補助吸込口体収容部２１の内径よりも小さく形成されている。この外筒部２４の内側面には、上記延長管５の先端近傍に形成された係合孔５１と係合する本体側係合体２７が、内筒部２５側に向かって突出している。この本体側係合体２７は、電気掃除機本体１の上側面に設けられた解除ボタンによって、上記延長管５に対する係合が解除されるようになっている。
【００４１】
図４は、上記補助吸込口体６を示す底面図である。図２、３及び４に示すように、この補助吸込口体６は、上記延長管５の先端部分に、この延長管５の軸方向に摺動自在に外嵌されていると共に、上記延長管５から分離不可に形成されている。なお、この分離不可とは、補助吸込口体６の通常の使用状態において延長管５から分離できないことをいう。
【００４２】
この補助吸込口体６は、大略筒形状を有し、先端にブラシ３１が植えられて厚みが比較的薄い薄肉部３３と、ロック機構を内蔵して上記薄肉部３３よりも肉厚の肉厚部３４とを有する。この肉厚部３４は、径方向と直角をなすと共に軸方向に延びる平面部３５を有し、この平面部３５から、ロック機構の解除部としての押しボタン３７が突出している。この押しボタン３７は、肉厚部３４内の揺動軸３８回りに揺動自在に設けられた揺動体３９の一端に、一体形成されている。この揺動体３９は、図示しないコイルバネによって、上記押しボタン３７が突出する方向に付勢されている。上記肉厚部３４内には、延長管５に係合する延長管係合体４０が設けられており、上記揺動体３９の他端が、上記延長管係合体４０の側面に設けられた凹部内に収容されている。上記押しボタン３７が操作されて上記揺動体３９が揺動することにより、上記延長管係合体４０が、上記補助吸込口体６の肉厚部３４の内側面に形成された貫通孔から出没するようになっている。この延長管係合体４０が、上記延長管５の先端近傍の係合孔５１に係合して、この延長管５よりも突出した位置に補助吸込口体６が固定されるようになっている。つまり、上記延長管係合体４０と係合孔５１によって、上記補助吸込口体６を延長管５から突出した位置にロックするロック機構を形成している。
【００４３】
上記補助吸込口体６の肉厚部３４には、上記押しボタン３７よりもブラシ３１側に、起毛布４２が貼り付けられている。この起毛布４２は、上記補助吸込口体収容部２１の接触部２４に接触して、この補助吸込口体６と延長管連結部２０との間に摩擦力を得るものである。この摩擦力によって、上記補助吸込口体６と延長管連結部２０との間を連結して、この補助吸込口体６を延長管５に対して相対的に移動させるようにしている。すなわち、上記起毛布４２と接触部２４によって、補助吸込口体連結部を構成している。なお、補助吸込口体収容部２１に起毛布を設けると共に、補助吸込口体６に接触部を設けてもよい。
【００４４】
上記補助吸込口体６の薄肉部３３の先端に植えられたブラシ３１は、先端に向かうにつれて延長管５の通風路の中心軸側に近づくように傾斜している。詳しくは、図５に示すように、上記ブラシ３１は、上記補助吸込口体６の外側面の延在方向（補助吸込口体６及び延長管５の軸方向と平行方向）に対して、延長管の通風路の中心軸側に７°の傾斜角度で傾斜している。なお、このブラシ３１の傾斜角度は、５°以上７°以下であるのが特に好ましいが、０°よりも大きく１５°以下であってもよい。
【００４５】
上記構成の電気掃除機は、以下のように動作する。
【００４６】
まず、図１に示すように、延長管５が電気掃除機本体１に接続された状態で、この電気掃除機本体１の底面の開口９に吸込口体を接続する。この吸込口体の吸込口が床面に対向した状態で、把手３１が操作者に把持され、電源スイッチがオンされると、この電気掃除機本体１の電動送風機８が起動する。これにより、上記吸込口体、本体通風路５０、延長管６、手元パイプ３及び上記ホース２内を吸い込み空気が流れて、上記吸込口体の吸込口から、床面の塵が吸い込まれる。吸い込み空気は、塵と共に、集塵ケース１１の開口１２から集塵ケース内１１に導かれて、この集塵ケース内１１で生成される旋回流によって、上記塵のうちの比較的大きい塵が分離される。比較的大きい塵が分離された吸い込み空気は、上記サイクロン本体１４の排気筒１６を通ってフィルター体１８に導かれ、このフィルター体１８で微小な塵が除去されて、電気掃除機本体１から排出される。このようにして、吸込口体を用いた床面の掃除が行われる。
【００４７】
一方、家具と壁との間のような狭所の掃除や、壁面や天井のような室の上部の掃除を行う場合、上記延長管５の先端の補助吸込口６が用いられる。すなわち、操作者によって、電気掃除機本体１の上側面の解除ボタンが操作されて、延長管６と延長管連結部２０とのロックが解除される。続いて、操作者により、手元パイプ３の把手３１に上側向きの力が加えられて、延長管６及び補助吸込口体６が延長管連結部２０から引き出される。このとき、上記補助吸込口体６の起毛布４２と、上記延長管連結部２０の補助吸込口体収容部２１の接触部２４とが接触して、この補助吸込口体６と延長管連結部２０との間に摩擦力が生じる。この摩擦力により、この補助吸込口体６の延長管連結部２０からの引き出し量が、上記延長管５の延長管連結部２０からの引き出し量よりも小さくなるので、上記補助吸込口体６が延長管６の先端側に相対移動する。この延長管６の先端側に相対移動した補助吸込口体６は、延長管係合体４０が延長管５の係合孔５１に係合することにより、延長管５の先端側に突出した位置に固定される。こうして、上記延長管連結部２０から延長管５を引き出す動作によって、この補助吸込口体６を延長管５の先端に固定することができる。この補助吸込口体６が先端に固定された延長管５を、家具と壁との隙間等に挿入し、この隙間の床面Ｌに、図６に示すように補助吸込口体６の先端のブラシ３１を臨ませて、狭所等の掃除を行うことができる。
【００４８】
このように、上記延長管連結部２０から延長管５を引き出す動作によって、補助吸込口体６を延長管５の先端に固定することができるので、この補助吸込口体６は、従来のようなブラシ体を突出させるためのバネは不要である。したがって、この電気掃除機は、少ない部品点数で延長管５及び補助吸込口体６を構成することができる。
【００４９】
また、上記延長管５を電気掃除機本体１から取り外す際、操作者は、電気掃除機本体１の解除ボタンを操作するのみであって、上記補助吸込口体６に触れることが無い。その結果、上記補助吸込口体６に付着した塵などで操作者の手が汚れる虞を効果的に防止できる。また、解除ボタンの操作と延長管５を引き出すことのみによって、吸込口体を用いた掃除から補助吸込口体６を用いた掃除に、容易かつ迅速に移ることができる。
【００５０】
上記補助吸込口体６を用いた掃除から、吸込口体を用いた掃除に戻る場合、あるいは、電気掃除機の使用を終了する場合、上記補助吸込口体６及び延長管５を、電気掃除機本体１の上記延長管連結部２０に接続する。すなわち、先端に補助吸込口体６が突出して固定された延長管５を、延長管連結部２０の開口から内部に挿入する。このとき、上記補助吸込口体６の先端のブラシ３１は、先端に向かうにつれて延長管５の通風路の中心軸側に向かって７°の傾斜角度で傾斜しているので、ブラシ３１の先端が開口の縁に当たって挿入の邪魔になることが無い。上記延長管５を延長管連結部２０内に挿入する動作により、上記補助吸込口体６の平面部３５から突出する押しボタン３７が、延長管接続部２０の補助吸込口体収容部２１の内側面に当接して、補助吸込口体６内に没入する。これにより、上記押しボタン３７が一体に形成された揺動体３９が揺動して、延長管係合体４０が補助吸込口体６内に没入して、この延長管係合体４０と、延長管５の係合孔５１との係合が解除される。したがって、補助吸込口体６の延長管５に対するロックが解除される。また、上記補助吸込口体６の起毛布４２と、補助吸込口体収容部２１の接触部２４とが接触して摩擦力が生じることにより、延長管連結部２０に対する補助吸込口体６の移動量よりも、延長管連結部２０に対する延長管５の移動量が大きくなる。これにより、上記延長管５は、上記補助吸込口体６よりも延長管連結部２０内に前進する。そして、補助吸込口体収容部２１の底面に補助吸込口体６の先端面が当接することにより、この補助吸込口体６の移動が停止する。上記延長管５は、更に延長管連結部２０の底側に向かって挿入されて、先端部分が、延長管嵌合部２２の外筒部２４と内筒部２５との間に嵌合する。このとき、上記補助吸込口体６は、上記内筒部２５よりも開口側で停止しているので、上記補助吸込口体６の先端のブラシ３１が、延長管５の先端と内筒部２５との間に挟まれることが無い。そして、上記外筒部２４の内側面から突出する本体側係合体２７が、上記延長管５の係合孔５１に係合して、この延長管５が延長管連結部２０に固定される。
【００５１】
このように、上記延長管連結部２０に延長管５を挿入する動作によって、補助吸込口体６の延長管５の先端へのロックを解除して、この補助吸込口体６を延長管５よりも後退させることができる。したがって、補助吸込口体６を用いた掃除から、吸込口体を用いた掃除に、ワンタッチで容易かつ迅速に移ることができる。
【００５２】
また、上記延長管５を電気掃除機本体１に接続する際、操作者は、上記延長管５を延長管連結部２０に挿入するのみであって、上記補助吸込口体６に触れることが無い。その結果、上記補助吸込口体６に付着した塵などで操作者の手が汚れる虞を効果的に防止できる。また、塵が比較的付着し易い上記補助吸込口体６を、延長管連結部２０内に収容できるので、補助吸込口体６に付着した塵が掃除中に操作者等を汚す虞を防止できる。
【００５３】
上記実施形態において、上記補助吸込口体６の肉厚部３４に設けた起毛布４２と、上記補助吸込口体収容部２１に設けた接触部２４とで補助吸込口体連結部を構成したが、上記補助吸込口体６の平面部３５から突出する押しボタン３７にローレットを設け、この押しボタン３７と、この押しボタン３７が当接する補助吸込口体収容部２１の内側面とで補助吸込口体連結部を構成してもよい。これにより、上記押しボタン３７を、補助吸込口体６と延長管５とのロック解除と、補助吸込口体６の延長管連結部２０への連結とに兼用することができるので、電気掃除機本体の部品点数を削減できると共に、上記補助吸込口体６を簡易な構成にしてコンパクトにできる。
【００５４】
上記実施形態において、延長管連結部２０は、延長管５を電気掃除機本体１に接続したが、延長管を他のものに接続してもよい。例えば、延長管連結部２０を他の延長管に設け、この他の延長管と、上記補助吸込口体６を備える延長管５とを接続してもよい。
【００５５】
また、上記電気掃除機は、サイクロン型でなくてもよい。
【００５６】
また、上記電気掃除機は、アップライト型でなくてもよく、例えば、延長管の先端に吸込口体を取り付けて、この延長管に接続されたホースを介して本体を牽引して掃除を行うキャニスター型の電気掃除機であってもよい。
【図面の簡単な説明】
【００５７】
【図１】本発明の実施形態の電気掃除機の一部を示す断面図である。
【図２】延長管及び補助吸込口体と、電気掃除機本体の延長管連結部との連結部を拡大して示した断面図である。
【図３】延長管連結部から、延長管及び補助吸込口体６が引き出された様子を示す断面図である。
【図４】補助吸込口体を示す底面図である。
【図５】補助吸込口体が延長管の先端に固定された様子を示す側面図である。
【図６】補助吸込口体を用いて床面Ｌの掃除を行う様子を示す図である。
【符号の説明】
【００５８】
５  延長管
６  補助吸込口体
２０  延長管連結部
２４  接触部
３１  ブラシ
３７  押しボタン
４２  起毛布
【図１】
2006158741.tif 000003
【図２】
2006158741.tif 000004
【図３】
2006158741.tif 000005
【図４】
2006158741.tif 000006
【図５】
2006158741.tif 000007
【図６】
2006158741.tif 000008